(57)【特許請求の範囲】
【請求項１】
船体に搭載され海面に光を照射する集魚灯と、前記集魚灯の仰俯角を変える角度可変装置と、ピッチング現象やローリング現象等に起因する船体の回転角を検出する検出手段と、前記検出手段により検出された船体の回転角に基づいて仰俯角を予測して前記角度可変装置を制御して前記集魚灯の仰俯角を所定の値に制御する制御手段とを備え、
前記角度可変装置は、船体の上部に船首から船尾に向かって配置された回転軸と、減速機を介して回転軸を回転させる駆動モータとを有し、前記回転軸には、複数の前記集魚灯が取り付け部材を介して取り付けられ、前記回転軸の一端は、連結部材により前記減速機の出力軸と連結され、前記減速機の反対側の出力軸には、前記回転軸の回転角度を所定角度以上あるいは所定角度以下にならないように前記回転軸の回転を制限するためにリミットセンサが固定され、
前記制御手段は、前記検出手段により検出された船体の回転角から角速度および角加速度を算出し、算出した角速度および角加速度を基に前記集魚灯の仰俯角の補正角度変位を算出し、算出した補正角度変位に基づいて、回転角が増大していく場合には前記補正角度変位を加算あるいは減算して集魚灯の仰俯角を所定の値に保持し、回転角が減少していく場合には前記補正角度変位を加算あるいは減算して前記集魚灯の仰俯角を所定の値に保持するように制御すると共に、前記リミットセンサの検出信号に基づいて前記集魚灯の仰俯角を一定範囲内に制御し、
複数の前記集魚灯が前記船体の船首から船尾にかけて水平方向に少なくとも一列に配置され、
前記一列に配置された複数の集魚灯を配置順に少なくとも２組に分け、各組に前記角度可変装置が設けられ、当該組毎に独立して集魚灯の仰俯角を変えることを特徴とする集魚灯装置。
【請求項２】
請求項１記載の集魚灯装置において、検出手段は、船体の左右方向に対する基準軸からの回転角を検出するセンサーを備えたことを特徴とする集魚灯装置。
【請求項３】
請求項１又は２記載の集魚灯装置において、検出手段は、少なくとも船体の前後方向に対する基準軸からの回転角を検出するセンサーを備えたことを特徴とする集魚灯装置。
【請求項４】
請求項１乃至３のいずれか１項に記載の集魚灯装置において、前記制御手段には、魚群が存在する平面方向の位置と水深方向の位置とを検出するソナー及び魚群探知機が接続されており、該制御手段は、ソナー及び魚群探知機からの出力情報に基づいて前記角度可変装置を制御して前記集魚灯の仰俯角を制御することを特徴とする集魚灯装置。
【請求項５】
請求項１乃至４のいずれか１項に記載の集魚灯装置において、前記制御手段の操作を行うための操作部をさらに備え、前記操作部は、集魚灯の光照射角度を船の横揺れに対応して自動的に制御するための自動制御ボタンと、集魚灯の仰俯角をマニュアルで調整するための光照射角度ボリュームとを有することを特徴とする集魚灯装置。
【請求項６】
請求項１乃至５のいずれか１項に記載の集魚灯装置において、集魚灯の光源が発光ダイオードであることを特徴とする集魚灯装置。
【発明の詳細な説明】
【技術分野】
【０００１】
本発明は、漁業に用いる集魚灯装置に関する。具体的には、イカ、サンマ、アジ、サバ等の水産動物を集め、漁獲に連係するための集魚灯装置の技術分野に属する。
【背景技術】
【０００２】
従来、漁業の操業においては、自船周囲のより広い海域からできるだけ多くの対象生物を漁具の操作範囲に集め、漁獲に結びつけることを目的として、集魚灯が用いられている。漁業の操業過程は、対象生物を探知する過程（探魚）、誘集する過程（集魚）、漁獲する過程（漁獲）から構成され、集魚灯の灯光は漁獲の効率を左右する重要な要素である。集魚灯漁業の主な対象生物としては、走光性のあるイカ、サンマ、アジ、サバ等が挙げられる。【０００３】
集魚灯の光源は、アセチレンランプ、白熱ランプ、ハロゲンランプと変遷してきており、現在ではメタルハライドランプが主流となっている。しかしながら、これらの光源は無指向性であるため光の利用効率が低いという問題点があった。そこで、最近では高い発光効率と指向性を有する（特許文献１）に示すような青色発光ダイオードを光源として備えた集魚灯装置が考えられている。これらの集魚灯は、パネル型形状であり、所定間隔をおいて複数個並べ、海面に光を照射する向きに任意の角度で施設部材に金具で固定されている。【０００４】
【特許文献１】特開２００３−１３４９６７号公報
【発明の開示】
【発明が解決しようとする課題】
【０００５】
しかしながら、上記の集魚灯装置は、指向性が高く、また予め決められた角度で固定されているため光を固定された一方向にしか照射できないものであった。このため、船体がピッチング（縦揺れ）またはローリング（横揺れ）した際には海面への照射エリアが大きく変動することがあった。【０００６】
このような従来型の集魚灯装置の照射角度を調整するには、灯具の固定金具を緩めて集魚灯装置の設置角度を変えるか、または灯具を固定している施設部材を動かして角度を変えなければならず、操業中に集魚灯装置の角度調整を行なうことは難しかった。【０００７】
そこで、本発明は上述のような課題を解決するため、光の照射角度を自在に調整することができ、特に船体がローリングした場合にも光照射方向を一定に保持することができる集魚灯装置を提供することを目的とする。
【課題を解決するための手段】
【０００８】
上記課題を解決するため、本発明の集魚灯装置は、船体に搭載され海面に光を照射する集魚灯と、前記集魚灯の仰俯角を変える角度可変装置と、ピッチング現象やローリング現象等に起因する船体の回転角を検出する検出手段と、前記検出手段により検出された船体の回転角に基づいて仰俯角を予測して前記角度可変装置を制御して前記集魚灯の仰俯角を所定の値に制御する制御手段とを備え、前記制御手段は、前記検出手段により検出された船体の回転角から角速度および角加速度を算出し、算出した角速度および角加速度を基に前記集魚灯の仰俯角の補正角度変位を算出し、算出した補正角度変位に基づいて、回転角が増大していく場合には前記補正角度変位を加算あるいは減算して集魚灯の仰俯角を所定の値に保持し、回転角が減少していく場合には前記補正角度変位を加算あるいは減算して前記集魚灯の仰俯角を所定の値に保持し、複数の前記集魚灯が前記船体の船首から船尾にかけて水平方向に少なくとも一列に配置され、前記一列に配置された複数の集魚灯を配置順に少なくとも２組に分け、各組に前記角度可変装置が設けられ、当該組毎に独立して集魚灯の仰俯角を変えることを特徴とする。
【０００９】
上記構成によれば、光の照射角度を自在に調整することができ、特に船体がローリングした場合にも光照射方向を一定に保持することが可能となる。【００１１】
上記構成によれば、集魚灯の仰俯角を予測して制御しているため、船体のローリング（横揺れ）現象やピッチング（縦揺れ）現象に応じて集魚灯の仰俯角を常に一定に保持することができ、特には縦揺れや横揺れの振幅周期が短く、振幅が大きい場合にも仰俯角を常に一定に保持することが可能となる。【００１２】
また、本発明は、上記の集魚灯装置において、検出手段は、少なくとも船体の左右方向の基準軸からの回転角を検出するものであることを特徴とする。また、本発明は、上記の集魚灯装置において、検出手段は、少なくとも船体の前後方向の基準軸からの回転角を検出するものであることを特徴とする。
【００１３】
上記構成によれば、船体のローリング（横揺れ）現象とピッチング（縦揺れ）現象の各々に応じて集魚灯の仰俯角を調整することが可能となる。
【００１４】
また、本発明は、上記の集魚灯装置において、前記制御手段には、魚群が存在する平面方向の位置と水深方向の位置とを検出するソナー及び魚群探知機が接続されており、該制御手段は、ソナー及び魚群探知機からの出力情報に基づいて前記角度可変装置を制御して前記集魚灯の仰俯角を制御することを特徴とする。また、本発明は、上記の集魚灯装置において、前記制御手段の操作を行うための操作部をさらに備え、前記操作部は、集魚灯の光照射角度を船の横揺れに対応して自動的に制御するための自動制御ボタンと、集魚灯の仰俯角をマニュアルで調整するための光照射角度ボリュームとを有することを特徴とする。
【００１５】
また、本発明は、上記の集魚灯装置において、集魚灯の光源が発光ダイオードであることを特徴とする。【００１６】
上記構成によれば、本発明の集魚灯装置に適した指向性が高くかつ発光効率の高い光源が選択される。
【発明の効果】
【００１７】
本発明の集魚灯装置によれば、ピッチング現象やローリング現象の船体の揺れに起因する集魚灯の仰俯角の変動をなくすことで、集魚灯の光照射領域を一定に保つことができるので、イカ等の漁獲対象生物の魚群行動を混乱させることが無く、漁獲効率を大幅に向上させることができる。
【図面の簡単な説明】
【００１８】
【図１】本発明の実施の形態（１）に係る集魚灯装置を取り付けた船体の斜視図である。
【図２】本発明の実施の形態（１）に係る集魚灯装置を示す平面図である。
【図３】本発明の実施の形態（１）に係る集魚灯装置の構成を示す図である。
【図４】船体がローリング（横揺れ）した際の船体の回転角を示す図である。
【図５】船体がローリング（横揺れ）した際の集魚灯の仰俯角を示す図である。
【図６】集魚灯装置に用いる制御手段の動作を表すフローチャートである。
【図７】集魚灯装置に用いる制御手段の動作を表すフローチャートである。強風時の本発明の一実施形態に係る集魚灯装置の動作説明図である。
【図８】（ａ）静水時の集魚灯の状態を示す図である。（ｂ）船体がローリング（横揺れ）した際の集魚灯の状態を示す図である。
【図９】（ａ）漁獲対象生物が遠方にいる場合の集魚灯１０の状態を示す図である。（ｂ）漁獲対象生物が漁獲可能な領域へ誘導された場合の集魚灯１０の状態を示す図である。
【図１０】本発明の実施の形態（１）に係る集魚灯装置を用いた際の効果を表す図である。
【図１１】本発明の実施の形態（２）に係る集魚灯装置を取り付けた船体の斜視図である。
【図１２】本発明の実施の形態（４）に係る集魚灯装置を取り付けた船体の斜視図である。
【図１３】本発明の実施の形態（３）に係る集魚灯装置を取り付けた船体の斜視図である。
【図１４】本発明の実施の形態（５）に係る集魚灯装置を示す側面図である。
【図１５】本発明の実施の形態（６）に係る集魚灯装置を示す側面図である。
【符号の説明】
【００１９】
１                集魚灯装置
１０              集魚灯
２０              角度可変装置
２１              回転軸
２１１、２１２    両端部
２１３            中間位置
２２              軸受け
２３              連結部材
２４              減速機
２５              連結部材
２６              駆動モータ
２７              エンコーダ
２８              リミットセンサ
２９              ＣＰＵ
３０              検出手段
４０              制御手段
４１              ＲＯＭ
４２              ＲＡＭ
４３              ＣＰＵ
４４              入力ポート
４５              出力ポート
５０              操作部
５１              自動制御ボタン
５２              光照射角度ボリューム
５３              収納ボタン
５４              設定キー
６１              ソナー
６２              魚群探知機
６３              光源制御手段
Ｓ                船
【発明を実施するための最良の形態】
【００２０】
以下、本発明の集魚灯装置を実施するための最良の形態について詳細に説明する。まず、本発明の集魚灯装置を実施の形態（１）に基づいて説明する。【００２１】
本発明の集魚灯装置１は、図１に示すように、船体Ｓに搭載され海面に光を照射する集魚灯１０と、集魚灯１０の仰俯角を変える角度可変装置２０と、ピッチング現象やローリング現象等に起因する船体Ｓの回転角を検出する検出手段３０と、検出手段３０により検出された船体Ｓの回転角に基づいて角度可変装置２０を制御して集魚灯１０の仰俯角を所定の値に補正する制御手段４０とを備えたことを特徴とする。【００２２】
集魚灯１０は、船体Ｓの上部に船首から船尾に向けて船体の両側を照射するように水平方向に複数個配置されている。集魚灯１０は、平板状の発光ダイオード実装基板の上に光源が配設されている。光源としては、指向性を有するものが用いられ、その中でも特に発光効率が高い発光ダイオードが好ましく用いられる。赤色発光ダイオード、青色発光ダイオード、緑色発光ダイオード等の一種類を用いることができるが、赤色発光ダイオード、青色発光ダイオード、緑色発光ダイオード等の異なる発光波長を有するものを複数組み合わせて用いることも可能である。この場合、各発光ダイオードに流れる電流量等を調整することなどにより、光源全体としての光色、及び発光強度を変化させることができる。これにより、海水の色、対象魚種、対象魚種の存在する深度、集魚灯と対象魚種との距離、海水温の変化、潮流の方向及び流速、釣具ラインの挙動等の操業情報に基づいて光源の光色、発光強度を制御することが可能となる。【００２３】
角度可変装置２０は、集魚灯１０の仰俯角を変化させることで集魚灯１０から照射される光の照射角度を変えるためのものであり、図２に示すように、船体Ｓの上部に船首から船尾に向けて船体の両側に配設された回転軸２１と、回転軸２１を回転させる駆動モータ２６から主に構成されている。回転軸２１には、集魚灯１０が複数個、任意の間隔で取付部材を介して取付け固定されている。回転軸２１の両端部２１１、２１２及び中間位置２１３は、軸受け２２により回転可能に支持されている。そして、回転軸２１の一端２１２は、連結部材２３により減速機２４の出力軸２４１と連結されている。また、減速機２４の入力軸２４２は、連結部材２５により駆動モータ２６と連結されている。すなわち、駆動モータ２６を動かすことにより回転軸２１は回転し、集魚灯１０の仰俯角を自在に変えることが可能となる。【００２４】
減速機２４の反対側の出力軸２４３には、エンコーダ２７が接続されている。エンコーダ２７は、減速機２４の出力軸２４１の回転角度すなわち回転軸２１の回転角度を目的角度へ正確に調整するために設けられており、実際の回転軸２１の回転角度を所定の分解能で測定し、測定したデータを後述する制御手段４０に出力する。【００２５】
また、減速機２４の反対側の出力軸２４３には、リミットセンサ２８が固定されている。リミットセンサ２８は、回転軸２１の回転角度が所定角度以上あるいは所定角度以下にならないように回転軸２１の回転を制限するためのもので、回転軸２１を回転可能とする角度範囲の両端に設置される。回転軸２１の回転角度が所定角度以上あるいは所定角度以下となった場合には、リミットセンサ２８により検出され、検出された信号は後述する制御手段４０に出力される。そして、制御装置４０により回転軸２１の回転を停止する信号が出力され、回転軸２１の回転動作は停止する。これにより、集魚灯１０の仰俯角は一定範囲内に制御され、集魚灯１０から出射される光の照射角度も一定範囲内に制御される。【００２６】
検出手段３０は、船体Ｓの揺れ角度を検出するためのもので、図３に示すように、後述する制御手段４０に接続される。検出手段３０は、図４に示すような船体Ｓの左右の横揺れ方向に対する基準軸Ｙからの船体Ｓの回転角αを検出する。なお、図５に示すように、船体Ｓが左右の横揺れ方向に対して基準軸Ｙから回転角αだけ回転すると、集魚灯１０も同様に基準行俯角β０から仰俯角βへと角度α分だけ回転する。したがって、船体Ｓの回転角αを検出することで集魚灯１０の仰俯角βを調整することができる。ここで、検出手段３０としてはジャイロスコープが一般的に用いられる。ジャイロスコープには、機械式のものとしては回転型ジャイロスコープ、振動型ジャイロスコープ、光学式のものとしては光ファイバジャイロスコープ、リングレーザジャイロスコープ、流体式としてガス型ジャイロスコープ等が挙げられ、いずれも用いることが可能である。そして、検出手段３０は、検出した回転角αを所定時間毎に制御手段４０に送信する。また、検出手段３０は、左舷及び右舷の集魚灯１０をそれぞれ制御するために一つずつ設けることが好ましいが、左舷及び右舷の集魚灯１０を一つの検出手段３０から検出された回転角αにより制御することも可能である。左舷及び右舷の集魚灯１０にぞれぞれ設けた場合には、船体Ｓの横揺れ方向に対する基準軸Ｙからの船体Ｓの回転角αの縦揺れなどによる影響に左舷及び右舷においてそれぞれで対応することが可能となる。また、一つの検出手段３０で左舷及び右舷の集魚灯１０を制御する場合には、設置スペースが小さくなり安価に製造することができる。【００２７】
制御手段４０は、検出手段３０から送信された船体Ｓの回転角αに基づいて、角度可変装置２０の回転軸２１の回転角度を制御し集魚灯１０の仰俯角βを調整するためのものであって、予め設定されているプログラムを記憶するＲＯＭ４１と、予め設定されたデータ等を記憶するＲＡＭ４２と、データの管理・制御を行なうＣＰＵ４３と、データの入力を中継する入力ポート４４、データの出力を中継する出力ポート４５とから構成されている。また、入力ポート４４側には、検出手段３０とともに、ソナー６１及び魚群探知機６２とが接続されており、魚群が存在する平面方向の位置と水深方向の位置とを検出できるように構成されている。ソナー６１、魚群探知機６２等からの出力情報を制御手段４０に取り込み、魚群反応に追従して集魚灯１０の仰俯角を制御することで、対象種（魚群）の誘導・集魚することも可能となる。【００２８】
さらに、集魚灯１０には、図３に示すように、集魚灯１０の光色と発光強度を制御するための光源制御手段６３を設けることができる。光源制御手段６３により集魚灯１０の光源の光色と発光強度を、操業海域の水の色、照度条件、漁獲対象生物の種類、漁獲対象生物の位置・深度・行動特性などの各種の操業情報に基づいて制御することで、漁獲対象生物を効率的に集魚することができる。【００２９】
また、操作部５０は、制御手段４０の操作を行うためのもので、例えば箱形に形成された操作パネルから構成される。操作部５０には、集魚灯１０の光照射角度を船の横揺れに対応して自動的に制御する自動制御ボタン５１と、集魚灯１０の仰俯角をマニュアルで調整する光照射角度ボリューム５２を有する。光照射角度ボリュームは、つまみをひねることで集魚灯１０の仰俯角βを連続的に変化させ得るように構成されている。また、操作部５０には、ワンタッチで集魚灯１０の向きを垂直下向き（仰俯角β＝９０°）に変えることができる収納ボタン５３が設けられている。また、操作部５０には、制御手段４０の設定行うための設定キー５４が設けられている。【００３０】
続いて、以上の集魚灯装置１を用いた集魚灯１０の仰俯角βの制御について説明する。まず、操作部５０の自動制御ボタン５１をＯＮにして、集魚灯１０の仰俯角βを船の横揺れに対応して自動的に制御する場合について述べる。【００３１】
自動制御ボタン５１をＯＮにした場合には、船体Ｓが揺れた際に生じる船体Ｓの左右の揺れ方向に対する基準軸Ｙからの回転角αを検出手段３０により検出する。この際、基準軸Ｙは静水状態における船体Ｓの垂線であり、静水状態における回転角α＝０であり、基準行俯角β０は、集魚灯１０の静水状態における仰俯角βである。なお、船体Ｓが左右の横揺れ方向に対して基準軸Ｙから回転角αだけ回転すると、集魚灯１０も同様に基準行俯角β０から仰俯角βへと角度α分だけ回転する。したがって、船体Ｓの回転角αを検出することで集魚灯１０の仰俯角βを調整することができる。そして、検出手段３０により検出された回転角αは所定時間毎に制御手段４０に送信される。【００３２】
そして、制御手段４０のＣＰＵ４３では、船体Ｓの基準Ｙからの回転角αのデータに基づいて、集魚灯１０の仰俯角βを基準仰俯角β０に修正するために必要な回転軸２１の回転角度を算出し、動作指示のデータを回転軸２１の駆動モータ２６のＣＰＵ２９に伝送する。これにより、船体Ｓのローリング（横揺れ）現象やピッチング（縦揺れ）現象に応じて集魚灯１０の仰俯角βを常に一定に保持することが可能となる。なお、制御手段４０は、検出手段３０により検出された船体Ｓの回転角αから集魚灯１０の仰俯角βを予測して、集魚灯１０の仰俯角βを制御する構成を加えることが好ましい。具体的には、集魚灯１０の仰俯角βの変化は、波の周期に同期しており、次の式（Ｉ）で表される。
β＝ωｔ＋β０    ……（Ｉ）
上記（β）を１回微分することで次の式（ＩＩ）で示す角速度（ｖ）が得られる。
ｖ＝ｄβ／ｄｔ    ……（ＩＩ）
さらに、もう１回微分することで次の式（ＩＩＩ）で示す角加速度（α）が得られる。
α＝ｄ２β／ｄｔ２    ……（ＩＩＩ）
一方、既に述べた検出手段３０により検出される船体Ｓの回転角αの変化は、上記式（Ｉ）で示される集魚灯１０の仰俯角βと同様である。よって、上記のような角速度や角加速度等の変化量に基づいて現在の仰俯角βに加算あるいは減算することにより仰俯角βを一定に保持することができることになる。つまり、仰俯角βが増大してしまうところでは予測される補正角度変位θを減算して所定の値に補正し、逆に、仰俯角βが減少してしまうところでは予測される補正角度変位θを加算して上記所定の値に補正していくものである。この場合には、仰俯角βを予測して制御しているため、船体Ｓのローリング（横揺れ）現象やピッチング（縦揺れ）現象に応じて集魚灯１０の仰俯角βを常に一定に保持することができ、特には縦揺れや横揺れの振幅周期が短く、振幅が大きい場合にも仰俯角βを常に一定に保持することが可能となる。【００３３】
ここで、ＣＰＵ４３により補正する補正角度変位θの算出の作業について説明する。図６に示すフローチャートは、ある一定時間（ｔ）ごと繰り返し実行される処理である。ステップ１（Ｓ１）において補正角度変位θの算出の作業が開始される。まず、スタートした後、ステップ２（Ｓ２）では電源投入後１回目か否かを判断する。ステップ２（Ｓ２）がＹＥＳの場合には、ステップ３（Ｓ３）に移行して検出手段３０から入力されたデータをＣＰＵ４３がＲＡＭ４２に記憶するだけの処理を行なう。ステップ２（Ｓ２）がＮＯの場合、すなわち電源投入後２回目以降の場合には、ステップ４（Ｓ４）に移行する。ステップ４（Ｓ４）では、検出手段３０で検出されたデータをＣＰＵ４３が読み取る。【００３４】
そして、ステップ５（Ｓ５）に移行して、ＲＡＭ４２に記憶されている前回の検出手段３０のデータと、今回の検出手段３０のデータとを比較し、時間（ｔ）から補正角度変位θを算出する。次に、ステップ６（Ｓ６）に移行して、読み取った今回の検出手段３０のデータをＲＡＭ４３に記憶する。次に、ステップ７（Ｓ７）では、算出された補正角度変位θから駆動モータ２６の回転角度を算出する。そして、ステップ８（Ｓ８）では、算出した回転角度を駆動モータ２６を制御するＣＰＵ２９側に出力する。【００３５】
次に、図７に示すように駆動モータ２６に設けられたＣＰＵ２９で行なわれる集魚灯１０の仰俯角βの補正手順について説明する。まず、ステップ９（Ｓ９)では、駆動モータ２６が回転中か否かの判別がなされる。そして、ステップ９（Ｓ９）がＹＥＳの場合には、ステップ１０（Ｓ１０）に移行して制御手段４０のＣＰＵ４３からの補正回転数入力が有るか否かが判別される。ステップ９（Ｓ９）がＹＥＳの場合には、ステップ１１（Ｓ１１）に移行し、補正値である角度変位θは正であるか否かが判別される。そして、ステップ１１（Ｓ１１）がＹＥＳの場合には、ステップ１２（Ｓ１２）に移行して、現在の回転数を補正角度変位θだけ減算した角度に変更する。一方、ステップ１１（Ｓ１０）がＮＯの場合には、ステップ１３（Ｓ１３）に移行して、現在の回転数を補正角度変位θだけ加算した角度に変更する。以上の作用によって、集魚灯１０の仰俯角βをリアルタイムで補正して常時一定の値に保持することが可能となる。【００３６】
以上本実施の形態に係る集魚灯装置によると次のような効果を奏することができる。まず、図８に示すように、ピッチング現象やローリング現象による集魚灯１０の光照射角度の変動を防止して、集魚灯１０の向きを海の所定領域を常に照射するように保持することができる。そして、集魚灯１０の光照射角度の変動がなく一定の領域を照射することができるため、イカなどの魚群行動を混乱させることが無く、漁獲効率を大幅に向上させることができる。【００３７】
また、実施の形態（１）に係る集魚灯装置では、集魚灯１０の仰俯角βを操作部５０のマニュアル操作により自在に変えられることから、図９に示すように、ユーザーが自在に集魚灯１０の仰俯角βを操作・制御し、操業当日の天候・海水の色・透明度・潮流など自然条件に適した集魚を効果的に実現することが可能となる。また、時間とともに変化する周辺環境に対応して集魚灯１０の仰俯角βを調整（修正）することが可能である。【００３８】
例えば、船体Ｓから遠方の漁獲対象生物の魚影反応情報が魚群探知機６２から入力された場合には、制御手段３０は角度可変手段２０により集魚灯１０の仰俯角βを遠方照射角度に制御する。そして、同時に集魚灯１０の光源を光源制御手段６３を用いて海水浸透性の高い波長色を発光するよう制御する。次に、漁獲対象生物群を船体Ｓ付近に誘導するため、集魚灯１０の照射領域を徐々に船体Ｓ方向に移行させるように集魚灯１０の仰俯角βを制御する。この際、集魚灯１０の仰俯角βの制御は、図３に示したように、魚群探知機６２の反応情報を制御手段３０に入力して演算・決定し追従した制御をすることもできる。【００３９】
そして、漁獲対象生物群の誘導に伴い、集魚灯１０の仰俯角βと同時に集魚灯の光源の光色及び発光強度を制御してさらに漁獲可能な領域へと漁獲対象生物群を誘導する。続いて、漁獲可能な領域に漁獲対象生物群を誘導したら、操作部５０の自動制御ボタン５１をＯＮにする。すなわち、集魚灯１０の仰俯角βを船体Ｓのローリング現象に追従するように制御して集魚灯１０の光照射方向を安定させた上で、操業（捕獲、釣獲）を行う。そして、操業を終了した場合は、操作部５０の収納ボタン５３をＯＮとして、図１０に示すように、集魚灯１０の向きを垂直下向き（仰俯角β＝９０°）に変えて、集魚灯１０を水平位置に制御し風圧の影響を回避して航行する。【００４０】
以上のように、本発明の実施の形態（１）に係る集魚灯装置１は、ローリング現象による集魚灯１０の光照射方向の変動をなくして海面及び海中に対する照射方向を一定に保持することにより、魚群行動を混乱させることがなく、海面状態等の条件によらずに予め想定した集魚・操業を可能にする集魚灯装置である。【００４１】
なお、上記実施の形態（１）では、検出手段３０は、船体Ｓが左右の横揺れ方向に対して基準軸Ｙから回転した回転角αの検出を行うものであったが、さらには船体Ｓが前後の縦揺れ方向に対して基準軸Ｙから回転した回転角を検出するように構成することも可能である。そして、船体Ｓの縦揺れ方向に対する回転角のデータを用いて、船体Ｓが左右の横揺れ方向に対する回転角αの値を補正して補正角度変位θを算出して集魚灯１０の仰俯角βを制御することも可能である。【００４２】
続いて、本発明の集魚灯装置について実施の形態（２）に基づいて説明する。実施の形態（２）に係る集魚灯装置は、図１１に示すように、船体Ｓに複数台の集魚灯装置１が搭載されている場合に、各集魚灯１０について、角度可変手段２０、検出手段３０、及び制御手段４０が設けられていることを特徴とする。【００４３】
そして、検出手段３０として、船体Ｓが左右の横揺れ方向に対して基準軸Ｙから回転した回転角αの検出に加えて、船体Ｓが前後の縦揺れ方向に対して基準軸Ｙから回転した回転角を検出するものを用いる。そして、船体Ｓが左右の横揺れ方向に対する回転角αの値に船体Ｓの縦揺れ方向に対する回転角のデータによる補正を加えて集魚灯１０の仰俯角に対する補正角度変位θを算出することで、各集魚灯１０の仰俯角βをきめ細かく制御することが可能となる。【００４４】
実施の形態（２）に係る集魚灯装置１によれば、各々の集魚灯１０は搭載されている船体Ｓにおける位置に応じてピッチング現象やローリング現象による光照射角度への影響が異なるが、各集魚灯１０に搭載された角度可変手段２０、検出手段３０、及び制御手段４０によって個別に処理することができるので、各集魚灯１０毎に設置場所に合致した所望の補正が可能となり、漁獲効率の向上をより効果的に図ることができる。【００４５】
なお、上記実施の形態（２）では、検出手段３０として船体Ｓの縦揺れ方向に対する回転角を検出できるものを用いているが、左右の横揺れ方向に対して基準軸Ｙから回転した回転角αのみを検出するものを用いでもよい。この場合にも、検出手段３０により検出される船体Ｓの左右の横揺れ方向に対する基準軸Ｙからの船体Ｓの回転角αの数値が縦揺れなどの他の要因によって影響を受けることがあり、集魚灯１０毎の仰俯角βのきめ細かい制御を行うことが可能である。【００４６】
続いて、本発明の集魚灯装置について実施の形態（３）に基づいて説明する。
実施の形態（３）に係る集魚灯装置は、図１３に示すように、船体Ｓに複数台の集魚灯装置１が搭載されている場合に、左舷及び右舷に設けられた複数の集魚灯１０を複数のグループに分けて、それぞれに角度可変手段２０、検出手段３０、及び制御手段４０を設けることにより制御することを特徴とする。
【００４７】
そして、検出手段３０として、船体Ｓが左右の横揺れ方向に対して基準軸Ｙから回転した回転角αの検出に加えて、船体Ｓが前後の縦揺れ方向に対して基準軸Ｙから回転した回転角を検出するものを用いる。そして、船体Ｓが左右の横揺れ方向に対する回転角αの値に船体Ｓの縦揺れ方向に対する回転角のデータによる補正を加えて集魚灯１０の仰俯角に対する補正角度変位θを算出することで、各集魚灯１０の仰俯角βをきめ細かく制御することが可能となる。【００４８】
実施の形態（３）に係る集魚灯装置１によれば、各々の集魚灯１０はグループ毎に個別に処理することができるので、各グループの集魚灯１０毎に設置場所に合致した所望の補正が可能となり、漁獲効率の向上をより効果的に図ることができる。
【００４９】
なお、上記実施の形態（３）では、検出手段３０として船体Ｓの縦揺れ方向に対する回転角を検出できるものを用いているが、左右の横揺れ方向に対して基準軸Ｙから回転した回転角αのみを検出するものを用いでもよい。この場合にも、検出手段３０により検出される船体Ｓの左右の横揺れ方向に対する基準軸Ｙからの船体Ｓの回転角αの数値が縦揺れなどの他の要因によって影響を受けることがあり、集魚灯１０をグループ毎に仰俯角βのきめ細かい制御を行うことが可能である。【００５０】
続いて、本発明の集魚灯装置について実施の形態（４）に基づいて説明する。
実施の形態（４）に係る集魚灯装置は、図１２に示すように、船体Ｓに複数台の集魚灯装置１が搭載されている場合に、左舷及び右舷に設けられた全ての集魚灯１０を一台の角度可変手段２０、及び制御手段４０により制御することを特徴とする。この場合、船体Ｓがローリングした際の左舷及び右舷の集魚灯１０の仰俯角の調整は、各々の補正角度変位θの正負を逆にすることで調整することが可能である。
【００５１】
実施の形態（４）に係る集魚灯装置によれば、各々の集魚灯１０を一台の制御手段４０により制御するため、コストを低減することができる。【００５２】
続いて、本発明の集魚灯装置について実施の形態（５）に基づいて説明する。
実施の形態（５）に係る集魚灯装置は、図１４に示すように、集魚灯１０が回転軸２１に対して回転可能に設けられた集魚灯パネル１０Ａと、回転軸２１に対して固定して設けられた集魚灯パネル１０Ｂからなることを特徴としている。そして、集魚灯パネル１０Ａは集魚灯パネル１０Bに対して上部に設けられていることを特徴とする。【００５３】
上記実施の形態（５）によれば、集魚灯１０が集魚灯パネル１０Ａ、１０Ｂが独立しているため、各々の光照射領域を重ねて発光強度を増大させることが可能となる。【００５４】
続いて、本発明の集魚灯装置について実施の形態（６）に基づいて説明する。
実施の形態（５）に係る集魚灯装置は、図１５に示すように、集魚灯１０の角度可変手段２０が船体Ｓの左右方向の揺れに対応して設けられた回転軸２１Ａに加えて、面方向に集魚灯１０の向きを回転可能とする回転軸２１Ｂが設けられたことを特徴とする。【００５５】
上記実施の形態（６）によれば、集魚灯１０の角度可変手段２０として、船体Ｓの左右方向の揺れに対応して設けられた回転軸２１Ａに加えて、面方向に集魚灯１０の向きを回転可能とする回転軸２１Ｂが設けられているので、面方向に船体Ｓが回転した際にも、集魚灯１０の光照射方向を保持することが可能となる。
【図１】
0004764878.tif 000002
【図２】
0004764878.tif 000003
【図３】
0004764878.tif 000004
【図４】
0004764878.tif 000005
【図５】
0004764878.tif 000006
【図６】
0004764878.tif 000007
【図７】
0004764878.tif 000008
【図８】
0004764878.tif 000009
【図９】
0004764878.tif 000010
【図１０】
0004764878.tif 000011
【図１１】
0004764878.tif 000012
【図１２】
0004764878.tif 000013
【図１３】
0004764878.tif 000014
【図１４】
0004764878.tif 000015
【図１５】
0004764878.tif 000016